(57)【要約】【課題】  従来の下刃の円弧よりも本発明の下刃の円弧の方が同じ開き幅で刃長を長くとることができ上刃と下刃の交差角もより狭角になり被切断対象物に鋭角に作用することができ、切断刃の切れ味が大幅に増すマイクロ剪刀を含む医療用剪刀を提供することを目的とする。【解決手段】  本発明に係る医療用剪刀は、被切断対象物を保持する刃が直線的又は直線に近似した曲率形状に形成された上刃と、該上刃で保持された被切断対象物を切断する下刃とが支軸を支点として回動自在に交差し、該支軸の背後にハンドルを備えたステンレス鋼製の医療用剪刀であって、前記支軸で支持された下刃側のハンドル内側の先端から下刃側の端末にかけて形成される弯曲した首部の曲率が下刃の外側に位置する首部の曲率よりも小さく緩やかな彎曲形状に形成してなる。【選択図】  図１
2015109928.tif 000002
【特許請求の範囲】
【請求項１】
被切断対象物を保持する刃が直線的又は直線に近似した曲率形状に形成された上刃と、該上刃で保持された被切断対象物を切断する下刃とが支軸を支点として回動自在に交差し、該支軸の背後にハンドルを備えたステンレス鋼製の医療用剪刀であって、前記支軸で支持された下刃側のハンドル内側の先端から下刃側の端末にかけて形成される弯曲した首部の曲率が下刃の外側に位置する首部の曲率よりも小さく緩やかな彎曲形状に形成したことに特徴とする医療用剪刀。
【請求項２】
請求項１記載の医療用剪刀の下刃は硬度と耐食性を備えた高炭素で高硬度のステンレス鋼材であることを特徴とする請求項１記載の医療用剪刀。
【請求項３】
請求項１又は請求項２記載の医療用剪刀の上刃がステンレス系刃物鋼の多層積層材で形成され、かつ請求項１又は請求項２記載の被切断対象物を保持する刃が直線的又は直線に近似した曲率形状に形成された上刃の被切断対象物を保持する端面全体が鍛造により粗面化形成されていることを特徴とする請求項１又は請求項２記載の医療用剪刀。
【発明の詳細な説明】
【技術分野】
【０００１】
本発明は、外科、脳外科、血管外科等の各種医療分野における手術用として使用されるマイクロ剪刀等の医療用剪刀に関する。
【背景技術】
【０００２】
【先行技術文献】
【特許文献】
【０００３】
【特許文献１】特開平８−１７３４４３  特許文献１の外科、脳外科、血管外科など多岐にわたる分野において利用されるマイクロ剪刀として、板バネ把手の先端部分に、板バネ把手の開閉方向に対して垂直方向あるいは斜め方向に開閉する刃を、リンクを介して取り付けたことを特徴とする請求項１記載の発明がある。また、その請求項２には、一方の板バネ把手の先端に前後方向にスライドするリンクを接続し、このリンクの先端を片側の刃の基部に接続した請求項１に記載の外科手術用マイクロ剪刀がある。
【発明の概要】
【発明が解決しようとする課題】
【０００４】
特許文献１の外科手術用マイクロ剪刀の発明は、左右一対の刃部で脳内の手術部位を切断する作業において、板バネ把手の水平方向の開閉に対して垂直方向あるいは斜め方向に開閉する刃を設けたものである。しかも固定側の刃と可動側の刃はいずれも直線的な刃同士が交差摺動する形状である。
【０００５】
しかし、本発明では従来のマイクロ剪刀のように左右の刃で切断するのではなく、一方の刃は例えば脳外科手術におけるクモ膜等の被切断対象物を切断する刃としての役割を果たし、切断刃に対向する刃は被切断対象物の固定刃となり、かつ従来よりも対向する切断刃の基部に連接する首部の彎曲する半径を大きく形成することによりなだらかな刃先に向かい従来の下刃の円弧よりも本発明の下刃の円弧の方が同じ開き幅で刃長を長くとることができ上刃と下刃の交差角もより狭角になり被切断対象物に鋭角に作用することができ、切断刃の切れ味が大幅に増すマイクロ剪刀を含む医療用剪刀を提供することを目的とする。
【０００６】
また、本発明は、従来のマイクロ剪刀よりも少なくとも下刃の刃材強度を高くすることで刃の耐久性が増し、下刃の切れ味と相俟って長寿命化を確保するマイクロ剪刀を含む医療用剪刀を提供することを目的とするものである。
【０００７】
本発明は医療におけるマイクロ剪刀含む医療用剪刀の切断刃に対向する固定刃がステンレス刃物鋼の積層材を鍛造仕上げにより固定刃の積層端面をミクロンオーダーの微細な波状面に仕上げにより被切断対象物が前後に滑動することなく確実に保持された状態で対向する切断刃により切断されるので医師による切断作業の負担は大幅に解消されるマイクロ剪刀を提供することを目的とする。
【課題を解決するための手段】
【０００８】
請求項１に係る発明は、被切断対象物を保持する刃が直線的又は直線に近似した曲率形状に形成された上刃と、該上刃で保持された被切断対象物を切断する下刃とが支軸を支点として回動自在に交差し、該支軸の背後にハンドルを備えたステンレス鋼製の医療用剪刀であって、前記支軸で支持された下刃側のハンドル内側の先端から下刃側の端末にかけて形成される弯曲した首部の曲率が下刃の外側に位置する首部の曲率よりも小さく緩やかな彎曲形状に形成したことに特徴とする医療用剪刀である。
【０００９】
請求項２に係る発明は、請求項１記載の下刃は硬度と耐食性を備えた高炭素で高硬度のステンレス鋼材であることを特徴とする請求項１記載の医療用剪刀である。
【００１０】
請求項３に係る発明は、請求項１又は請求項２記載の上刃がステンレス系刃物鋼の多層積層材で形成され、かつ請求項１又は請求項２記載の被切断対象物を保持する刃が直線的又は直線に近似した曲率形状に形成された上刃の被切断対象物を保持する端面全体が鍛造により粗面化形成されていることを特徴とする請求項１又は請求項２記載の医療用剪刀である。
【発明の効果】
【００１１】
請求項１に係る発明は、支軸で下刃と上刃が交差自在に支持されたハンドルの先端から下刃の峰側の根元までの弯曲した首部の曲率半径よりも下刃の首部の内側の曲率半径をより小さく緩やかな彎曲形状に形成し、その延長線上に沿って下刃の刃先までなめらかな曲線形状に形成したことに特徴とするステンレス鋼製の医療用剪刀であるので、被切断対象物を保持する上刃と被切断対象物を切断する下刃との挟み角度が従来よりも一層狭い角度となって切断され、かつ下刃の彎曲刃による切断距離も長く確保され、刃の切れ味が良く、錆びない長寿命の医療用剪刀を提供できる。
【００１２】
請求項２に係る発明は、請求項１記載の下刃は硬度と耐食性を備えた高炭素で高硬度のステンレス鋼であることを特徴とする請求項１記載の医療用剪刀であるので、医療分野における外科手術において、比較的硬い部位を切断する場合においても刃こぼれがなく、長期使用に耐え、錆びにくい性質により衛生的であり、医師による切断作業に大きな力を要せず簡単に切除できる。
【００１３】
請求項３に係る発明は、請求項１又は請求項２記載の上刃がステンレス系刃物鋼の多層積層材で形成され、かつ請求項１又は請求項２記載の被切断対象物を保持する刃が直線的又は直線に近似した曲率形状に形成された上刃の被切断対象物を保持する端面全体が鍛造により粗面化形成されているので、例えば硬膜を切除する場合にも硬膜部位が上刃の刃先表面が鍛造による積層端面に形成されるミクロンオーダーの粗面によって被切断対象物が上刃の刃表面で確実に保持され、前後にずれることがなく、上刃で確実に保持された状態で下刃の刃先で確実に綺麗に切断できる。しかも、下刃は請求項１で述べたように上刃の刃先と下刃の刃先の挟角が従来の剪刀よりも一層狭い状態で、かつ長い交差距離が確保され、切断作業もスムーズに行われる。
【図面の簡単な説明】
【００１４】
【図１】本発明の一実施例を示す医療用剪刀の拡大正面図である。
【図２】従来の医療用剪刀と本発明の医療用剪刀の下刃と上刃の開き角（仰角）を比較した拡大正面図であり、（ａ）が本発明に係る医療用剪刀の仰角αで（ｂ）が従来の医療用剪刀の仰角βを示す。
【図３】本発明の一実施例を示す医療用剪刀を少し閉じた状態を示す拡大正面図である。
【図４】本発明に係る医療用剪刀の拡大平面図である。
【図５】（ａ）本発明に係る医療用剪刀の上刃を７枚積層した鍛造前の拡大端面図である。（ｂ）本発明に係る医療用剪刀の上刃を７枚積層した鍛造後の拡大端面図である。
【発明を実施するための形態】
【００１５】
本発明の医療用剪刀について、マイクロ剪刀を例にとり説明するが、他の医療用剪刀についても適用される。
マイクロ剪刀１は刃が交差側に向けて湾曲形状に形成された動刃（以下、下刃２という）と、刃線が直線的又は直線に近似した曲率形状に形成された静刃（以下、上刃３という）とが、下刃２と上刃３の首部４の内側と外側のそれぞれが内側に向けて彎曲している。従来の首部４は内側と外側の各湾曲形状は同じ曲率で形成されていたが、本発明では少なくとも下刃２の首部４の外側と首部４の内側の各曲率を変え、特に内側の首部４の曲率を従来よりも小さく形成（半径Ｒを大きく形成）した点に特徴を有する。下刃２の内側の首部４の曲率を小さくする（すなわち、下刃２の内側に彎曲する曲線の半径を下刃２の外側に彎曲する曲線の半径よりも大きく形成する）ことにより、上刃３の直線刃３ａと下刃２の外側に反った彎曲刃２ａとの仰角αが同じ位置では本発明の方がより小さくなるために被切断対象物を刃の基部寄りで切断でき、切断作業を行う医師の負担を小さくでき、切断作業も小さな力で済む。
【００１６】
なお、図中、５はハンドルで、６はハンドル５の先端部を下刃２と上刃３が交差して被切断対象物を切断する支軸となるピン（ネジであってもよい）を示す。本発明はハンドル５の全体形状は省略しているが、操作し易い形状で有れば特に形状や構造は限定されない。
【００１７】
請求項２に係る発明は、請求項１記載の下刃２の硬度と耐食性を備えた高炭素ステンレス鋼であって、例えば硬度がＨＲＣ５６〜６３以上のステンレス鋼材であることを特徴とする請求項１記載の医療用剪刀である。
下刃２に使用される鋼材としては、強さと錆を考慮に入れると例えば１３％Ｃｒ（マルテンサイト系）のステンレス鋼が用いられる。１３％Ｃｒステンレス鋼は熱処理によって、硬さ、機械的性質、強さが得られること、耐食性も兼ねているので医療用器具、刃物類として好適である。しかし、硬さ、機械的性質、強さが得られること、耐食性も兼ねている材料であれば、上記ステンレス鋼に限定されない。
【００１８】
下刃２の首部４のうち上刃３と交差する内側の彎曲線の半径は例えば従来が７０ｍｍとすると、それよりも半径を大きく取り、例えば半径９４ｍｍとなるように曲率を小さく形成する（半径Ｒを大きくする）ことが肝要である。下刃２の首部４のうち内側に位置する彎曲した端末と下刃の彎曲刃２ａの基部がなめらかに連続的に連なっている。
【００１９】
請求項３に係る発明は、請求項１又は請求項２記載の上刃３がステンレス系刃物鋼の多層積層材で形成されている。本例では厚さが０．２ｍｍの７枚のステンレス鋼板を積層した場合を示すが、その積層枚数及び厚さは用途に応じて適宜変更されるもので、上記数値に限定されるものではない。使用目的によりそれよりも少なくすることも多くすることも可能である。積層板は加熱処理又は冷間処理後、板厚方向及び被切断対象物を保持する刃側の端面をそれぞれ鍛造処理して含有元素の構造に変化を与え、成分元素の変動や層間移動を行い、被切断対象物を保持する上刃３の刃端面が構成元素の移動等により表面が波状に形成されたり層間移動等により粗面化するために、下刃の彎曲刃２ａで切断する時に、被切断対象物を上刃３の刃端面で確実に保持された状態で切断できる。
【産業上の利用可能性】
【００２０】
本発明は、外科、脳外科、血管外科等の各種医療分野における手術用として使用されるマイクロ剪刀等の医療用剪刀であって、脳外科等における手術において迅速な手術が必要となる中、医師が手術部位の切除に際し、短時間で、確実に、きれいに切断処理等が行われる器具であるので、医療メーカー、販売業者及び医師等への需要が喚起される。
【符号の説明】
【００２１】
１      マイクロ剪刀
２      下刃
２ａ    下刃の彎曲刃
３      上刃
３ａ    上刃の直線刃
４      首部
５      ハンドル
６      ピン
α      仰角
β      仰角
【図１】
2015109928.tif 000003
【図２】
2015109928.tif 000004
【図３】
2015109928.tif 000005
【図４】
2015109928.tif 000006
【図５】
2015109928.tif 000007